(57)【要約】  光透過性プラスチック材料のシートを提供するステップＳ１と、照明装置ハウジングが、可撓性接続部２０２によって第２の部分２１４に接続される第１の部分２１２を含むように、光透過性プラスチック材料のシートから照明装置ハウジングを成形するステップＳ２と、照明装置ハウジングの封止される領域の内部に光源２１０及びドライバ電子機器２０６を封入するために、第１の部分２１２又は第２の部分２１４を、可撓性接続部２０２で折り返すステップＳ３と、照明装置ハウジングが折り返された位置を維持するように、第１の部分２１２を第２の部分２１４に固定するステップＳ４とを含む、照明装置１００を製造するための方法に関する。
2017503326.tif 000002
【特許請求の範囲】
【請求項１】
光透過性材料に成形される照明装置ハウジングと、
前記照明装置ハウジングの内部に配置される光源と、
前記照明装置ハウジングの内部に配置される、前記光源を駆動するドライバ電子機器と、
を含む照明装置であって、前記照明装置ハウジングは、
可撓性接続部によって互いに接続される第１のハウジング部及び第２のハウジング部であって、前記照明装置ハウジングの内部に前記光源及び前記ドライバ電子機器を封入するために、前記第１のハウジング部が前記可撓性接続部で折り返されている、当該第１のハウジング部及び第２のハウジング部と、
前記照明装置ハウジングを折り返された位置に維持するために、前記第１のハウジング部を前記第２のハウジング部に固定するための手段と、
を含み、
前記照明装置ハウジングは一体成形されている、
照明装置。
【請求項２】
前記光透過性材料は、熱成形可能なプラスチックである、請求項１に記載の照明装置。
【請求項３】
前記光透過性材料は透明である、請求項１又は２に記載の照明装置。
【請求項４】
前記照明装置ハウジングの内部に配置され、熱を前記光源及び／又は前記ドライバ電子機器から前記照明装置ハウジングへと伝導する、ヒートスプレッダを更に含む、請求項１に記載の照明装置。
【請求項５】
前記ヒートスプレッダは、熱伝導フォイル及び／又は予め成形された熱伝導性要素を含む、請求項４に記載の照明装置。
【請求項６】
前記固定するための手段は、超音波溶着、熱溶着、スナップ嵌合、及び／又は変形嵌合を含む、請求項１に記載の照明装置。
【請求項７】
前記照明装置ハウジングは、前記照明装置ハウジングを通じて伝播する光を散乱させる拡散要素を含む、請求項１に記載の照明装置。
【請求項８】
前記照明装置ハウジングは波長変換材料を含む、請求項１に記載の照明装置。
【請求項９】
前記拡散要素及び／又は前記波長変換材料は、透明プラスチック材料に印刷されるパターン、透明プラスチック材料にラミネートされるフィルム、及び／又は透明プラスチック材料と同時押出しされる材料に含まれる、請求項７又は８に記載の照明装置。
【請求項１０】
前記照明装置ハウジングは、取外し可能なハンガ部を更に含む、請求項１に記載の照明装置。
【請求項１１】
前記照明装置ハウジングは、前記光源及び／又は前記ドライバ電子機器を保持する、少なくとも１つの組立て支援部を更に含む、請求項１に記載の照明装置。
【請求項１２】
前記照明装置ハウジングは複数のハウジング部を含み、前記複数のハウジング部の各々は、可撓性接続部によって、隣接するハウジング部に接続される、請求項１に記載の照明装置。
【請求項１３】
前記照明装置ハウジングの外側に取り付けられ、前記ドライバ電子機器に電気的に接続されて、前記照明装置を電源に接続するベース部を更に含む、請求項１に記載の照明装置。
【請求項１４】
光透過性プラスチック材料のシートを提供するステップと、
照明装置ハウジングが、可撓性接続部によって第２の部分に接続される第１の部分を含むように、前記光透過性プラスチック材料のシートから前記照明装置ハウジングを成形するステップと、
前記照明装置ハウジングの封止される領域の内部に光源及びドライバ電子機器を封入するために、前記第１の部分又は前記第２の部分を、前記可撓性接続部で折り返すステップと、
前記照明装置ハウジングが折り返された位置を維持するように、前記第１の部分を前記第２の部分に固定するステップと、
を含む、照明装置を製造するための方法。
【請求項１５】
前記光透過性プラスチック材料を予め印刷するステップ、
前記光透過性プラスチック材料をラミネートするステップ、
前記光透過性プラスチック材料を同時押出しするステップ、
のうちの少なくとも１つのステップを更に含む、請求項１４に記載の、照明装置を製造するための方法。
【発明の詳細な説明】
【技術分野】
【０００１】
本発明は照明装置に関する。詳細には、本発明は、改善された照明装置、及び改善された照明装置を製造するための方法に関する。
【背景技術】
【０００２】
よりエネルギ効率の良い新たな照明装置の開発は、社会が直面する重要な技術的課題の一つである。従来の照明ソリューションよりもエネルギ効率の良い一般的な技術は、多くの場合、発光ダイオード（ＬＥＤ）に基づく。現在、ＬＥＤの低減された運転費用及び改善された性能が、ＬＥＤの一般照明用の利用を可能にしている。しかしながら、広範な大量市場の拡散を達成するために、白熱電球や管照明等の現在の照明装置に対する置換えとしてデザインされる照明装置の製造費用を低減させることが望ましい。ＬＥＤを用いた置換え可能な照明装置は、現在、一般人に利用可能であるが、しかしながら斯様な装置の価格は、従来の照明装置のための価格よりも高く、したがって通常の一般人は、依然として従来の照明装置の方を買いたいと思う恐れがある。更に、ＬＥＤを用いた照明装置は、ＬＥＤを駆動するためのレベルへとグリッド電力を変換するために必要なドライバ電子機器のせいもあって、通常の照明装置よりも本質的に複雑なので、ＬＥＤを用いた照明装置を分別及びリサイクルすることは難しい。
【０００３】
したがって、ＬＥＤを用いた照明装置をより利用可能なものにするために、これら装置の費用を低減させる必要がある。更に、これら装置をよりリサイクルし易くすることも望ましい。
【発明の概要】
【発明が解決しようとする課題】
【０００４】
本発明の一般的な目的は、ＬＥＤを含む照明装置のためのより低い製造費用及びより容易なリサイクルを可能にすることである。
【課題を解決するための手段】
【０００５】
本発明の第１の態様によると、これらの目的及び他の目的は、光透過性プラスチック材料に成形される照明装置ハウジングと、照明装置ハウジングの内部に配置される光源と、照明装置ハウジングの内部に配置される、光源を駆動するドライバ電子機器とを含む照明装置であって、照明装置ハウジングは、可撓性接続部によって互いに接続される第１のハウジング部及び第２のハウジング部であって、照明装置ハウジングの内部に光源及びドライバ電子機器を封入するために、第１のハウジング部が可撓性接続部で折り返されている当該第１のハウジング部及び第２のハウジング部と、照明装置ハウジングを折り返された位置に維持するために、第１のハウジング部を第２のハウジング部に固定するための手段とを含む、照明装置によって達成される。
【０００６】
照明装置では、装置の目的は照明を提供することであり、一般的には１以上のＬＥＤである光源が、光を提供する主要な構成要素であることを理解されたい。
【０００７】
照明装置ハウジングは、照明装置の使用時に、照明装置ハウジングの内部に配置された光源によって放射される光が、照明装置ハウジングを通過することのできるように、光透過性プラスチック材料に成形される。
【０００８】
ドライバ電子機器は、ＬＥＤ等の固定光源を駆動するために必要とされる電子構成要素として理解されるべきであり、したがって、斯様な構成要素の例と回路とで、通常、交流電流から直流電流を作り出すことができ、また、家庭用コンセントからの電圧を、用いられる固定光源を駆動するのに適切な電圧に変換することもできる。
【０００９】
照明装置ハウジングは、可撓性接続部によって接続される第１の部分と第２の部分とを含み、このデザインによって、通常可能な製造のステップよりも少ないステップを用いて、構成要素が第１の部分又は第２の部分のいずれかの内部に配置され得る。更に、照明装置ハウジングは一体成形され、これにより、照明装置ハウジングを成形するために必要とされるステップの数も低減される。照明装置はクラムシェルのデザインとして理解され、構成要素が照明装置ハウジングのシェルハーフのうちの一方に設置され、その後、照明装置ハウジングの他方のシェルハーフが可撓性接続部で折り返され、この結果、照明装置ハウジングが構成要素を封入し、したがって照明装置を形成する。更に、照明装置が使用中に閉じられたまま保たれることを保証するために、照明装置ハウジングのシェルハーフ同士が、固定手段によって互いに固定される。
【００１０】
本発明は、可撓性接続部によって接続される第１の部分と第２の部分とを含む照明装置ハウジングを提供することによって、照明装置の構成要素がこの結果、照明装置ハウジングを閉じる前にこれらの部分のうちの一方に配置されることが可能とされ、したがって、材料の費用及びエネルギを節約し、生産の間に必要とされるステップの数を低減させる照明装置が提供されるという理解に基づく。更に、斯様な照明装置は、中にある構成要素のリサイクルが、照明装置ハウジングを開けることによって可能とされるような、より容易なリサイクルを可能にする。
【００１１】
本発明の一実施形態によると、光透過性プラスチック材料は熱成形可能である。熱成形可能な材料を用いることによって、大量生産のための既知のやり方である熱成形生産技術を用いて、照明装置ハウジングを成形することが可能である。これにより、照明装置ハウジングは大量に生産されることができ、ひいては費用効率の高い照明装置を可能にする。この目的のために用いられることができ、ロール供給での大量熱成形生産機械にふさわしい材料の例は、典型的には２ｍｍ以下の厚さを有するＰＣ、ＰＥＴＧ、ＰＥＴＡ及び／又はＰＶＣである。
【００１２】
本発明の別の実施形態によると、光透過性材料は透明である。照明のために提供される光源から、すなわち照明装置ハウジングを通じて放射される光の量は、好ましくは最大化される。したがって、照明装置ハウジングを透過する光の量を増大させるために、光透過性の照明の材料は、有利には実質的に透明である。
【００１３】
本発明の別の実施形態によると、照明装置は、照明装置ハウジングの内部に配置されて、熱を光源及び／又はドライバ電子機器から照明装置ハウジングへと伝導するヒートスプレッダを更に含む。光源及び／又はドライバ電子機器は、使用の際に熱を生成する。照明装置ハウジングの内部に配置されるヒートスプレッダを提供することによって、熱は照明装置ハウジングへと伝導され、次いで照明装置ハウジングは、熱を照明装置の周囲環境へと伝導する。これにより、光源及び／又はドライバ電子機器は、より良好な動作条件に、すなわちより低い温度に保たれ得る。
【００１４】
したがってヒートスプレッダは、熱伝導フォイル及び／又は予め成形された熱伝導性要素を含む。熱伝導フォイルを用いることによって、熱成形の前に透明プラスチックシート上にヒートスプレッダを設置することが可能であり、これにより照明装置の生産の間のステップの数を低減させる。更に、熱伝導フォイルは、照明装置ハウジングが閉じられたときに初めて当該熱伝導フォイルの最終的な形状に達することが可能とされる。予め成形された熱伝導性要素は、熱成形の後に付与されることができ、これにより、ヒートスプレッダを付与する前の装置のカスタマイズを可能にする。更に、ヒートスプレッダから照明装置ハウジングへの熱伝導を増大させるために、グラファイトの熱伝導性のフィルム又はコーティングが付与されてもよく、代替的には、ヒートスプレッダがグラファイトの熱伝導性フィルムを含む。
【００１５】
本発明の一実施形態によると、固定するための手段は、超音波溶着、熱溶着、スナップ嵌合、又は変形嵌合を含む。固定するための手段は、照明装置ハウジングが確実に閉じられることを保証する。固定するための手段は、大量生産設備で使用可能であることが更に望ましい。したがって、超音波溶着、熱溶着、スナップ嵌合、又は変形嵌合が有利に用いられる。照明装置がリサイクル可能な一実施例によると、装置が開けられることのできるようにスナップ嵌合が望ましく用いられるか、又は縁が引き裂かれることのできるように穿孔を含むことによって固定が引き裂かれてもよく、これにより各構成要素は、照明装置の電子構成要素のごみ分別やリサイクルを行うために、手作業で分離され得る。変形嵌合はスナップ嵌合と類似し、照明装置ハウジングを固定するための手段は、第１の部分を第２の部分に固定するために変形される。
【００１６】
本発明の別の実施形態によると、照明装置ハウジングは、照明装置ハウジングを通じて伝播する光を散乱させる拡散要素を含む。光源からの光の空間分布は不均一である恐れがあり、これは光源が点状光源であるためか、又は光源によって生成される不均一な輝度のためであり得る。一般照明に関して、空間的に均一な拡散照明は人間に好まれる。したがって、照明装置ハウジングを通じて伝播する、光源によって放射される光を散乱させるために、拡散要素を提供することが望ましい。
【００１７】
本発明の一実施形態によると、照明装置ハウジングは波長変換材料を含む。波長変換材料は、光を第１の波長から第２の波長に変換し、この変換は、第１の複数の波長（すなわち第１のスペクトル）から第２の複数の波長（すなわち第２のスペクトル）への変換であってもよいことに留意されたい。よりソフトな暖かい白色外観を有する屋内照明は、一般的に、より人間に好まれる。現在用いられている光源は、可視スペクトルの青色端寄りに位置する光を放射する傾向がある。したがって、光源によって放射される光は、有利には、より望ましい波長に変換された波長である。波長変換材料は、典型的には、例えば蛍光体又は量子ドットを含むルミネセンス材料の形式で提供される。
【００１８】
本発明の別の実施形態によると、拡散要素及び／又は波長変換材料は、光透過性プラスチック材料に印刷されるパターン、光透過性プラスチック材料にラミネートされるフィルム、及び／又は光透過性プラスチック材料と同時押出しされる材料の形式で提供される。光透過性プラスチック材料にパターンを予め印刷することによって、通常の電球等に対する置換えである照明装置のために適した外見及び雰囲気を提供する、望ましいパターンが可能である。更に、ラミネートされるフィルム及び同時押出しされる材料は、大量生産のステップと組み合わされることができ、これにより、安価なカスタマイズされた照明装置が提供される。
【００１９】
本発明の一実施形態によると、照明装置ハウジングは、取外し可能なハンガ部を更に含む。照明装置ハウジングの一部分として取外し可能なハンガ部を含むことによって、本発明による照明装置は、販売のために提供されているときにパッケージを必要とせず、したがって環境上の便益を更に増大させ、また、パッケージングの必要性をなくすことを通じて費用を低減させる。ハンガ部は、照明装置の購入者が装置を使用する前にハンガ部を取り外すことを可能にするために、取外し可能である。
【００２０】
本発明の別の実施形態によると、照明装置ハウジングは、光源及び／又はドライバ電子機器を保持する、少なくとも１つの組立て支援部を更に含む。組立て支援部は、照明装置の組立ての間に光源及び／又はドライバ電子機器を保持し、これにより組立ての間の接着剤又は他のタイプの固定具の必要性を軽減する。
【００２１】
本発明の別の実施形態によると、照明装置ハウジングは複数のハウジング部を含み、複数のハウジング部の各々は、可撓性接続部によって、隣接するハウジング部に接続される。照明装置ハウジングは複数のハウジング部を含み、これにより、ハウジング部を次々と折り返すことによって光源及びドライバ電子機器を封入することが可能である。したがって、隣接するハウジング部を接続する各可撓性接続部は、より小さな角度で折り曲げられ、ひいてはより厚い材料及び／又は他の材料の使用を可能にする。
【００２２】
本発明の様々な実施形態によると、照明装置は、ドライバ電子機器に電気的に接続されて、照明装置を電源に接続するベース部を更に含む。
【００２３】
本発明の第２の態様によると、本目的は、光透過性プラスチック材料のシートを提供するステップと、照明装置ハウジングが、可撓性接続部によって第２の部分に接続される第１の部分を含むように、光透過性プラスチック材料のシートから照明装置ハウジングを成形するステップと、照明装置ハウジングの封止される領域の内部に光源及びドライバ電子機器を封入するために、第１の部分又は第２の部分を、接続部で折り返すステップと、照明装置ハウジングが折り返された位置を維持するように、第１の部分を第２の部分に固定するステップとを含む、照明装置を製造するための方法を用いることによっても達成される。
【００２４】
照明装置ハウジングを光透過性プラスチック材料から一体成形し、したがって第１の部分、第２の部分、及び可撓性接続部を含むことによって、照明装置ハウジングを成形する短くて簡単な生産工程が提供される。更に、照明装置ハウジングを１つのピースから製造することは、照明装置ハウジングの各部分が別々のピースとして提供される場合と比較して、組立ての間の処理を必要とする構成要素の数を低減させる。更に、接続部で第１の部分又は第２の部分の折り返しを可能にすることによって、光源及びドライバ電子機器等の照明装置の構成要素が、折り返すステップの前に照明装置ハウジングの内部に配置されることができ、これにより、生産の間のこれら構成要素の処理のための固定具等の必要性を軽減する。
【００２５】
本発明のこの第２の態様の更なる効果及び特徴は、本発明の第１の態様との関連で上述された効果及び特徴と大部分において同様である。
【００２６】
本発明の更なる特徴及び利点は、添付の請求項及び以下の説明を研究するときに明らかになるであろう。例えば、光源は、例えばレーザ、フラッシュランプ、キセノンランプ、又は更にはＸ線源等の、別の光発生器であってもよい。当業者は、以下に説明される実施形態以外の実施形態を作り出すために、本発明の範囲を逸脱することなく、本発明の様々な特徴が組み合わされ得ることを理解する。
【図面の簡単な説明】
【００２７】
本発明のこの態様及び他の態様は、本発明の実施形態を示す添付の図面を参照して、より詳細に説明される。
【００２８】
【図１】本発明の実施形態による照明装置の斜視図である。
【図２】本発明の実施形態による照明装置の概略的な側面図である。
【図３】本発明の実施形態による照明装置の概略的な側面図である。
【図４】本発明の実施形態による照明装置の断面である。
【図５】本発明の実施形態による、照明装置を製造する方法のためのフローチャートである。
【図６】本発明の実施形態による照明装置の断面である。
【図７】本発明の別の実施形態による照明装置の斜視図である。
【発明を実施するための形態】
【００２９】
本詳細の説明では、本発明による照明装置の様々な実施形態は主に、発光ダイオード（ＬＥＤ）を光源として含む照明装置を参照して説明される。これは本発明の範囲を決して限定するものではなく、本発明は、例えば他のタイプの光源を用いた使用のためといった他の状況にも適用可能であることに留意されたい。更に、添付の図面に示されるＬＥＤの数は概略的な表現にすぎない。使用の際、アレンジメント、ＬＥＤの数、及び他の斯様な詳細は、各アプリケーションによって決定されるであろう。
【００３０】
図１は、本発明による照明装置１００の斜視図であり、電球の形状で具現化されている。照明装置１００は、バルブ部１０２とソケット部１０４とを含み、ソケット部１０４は、ベース部１０８によって照明装置１００が例えば電球用のＥ１４又はＥ２７エジソンねじ込み口金といった通常の照明取付具に嵌合される当該ベース部１０８を更に含む。ベース部１０８は照明装置のドライバ電子機器に接続されて、これにより照明装置１００を電源に接続することができる。図１のベース部１０８はねじ込み口金の形状とされているが、しかしながら、１以上のプラグを有するバヨネット式固定等の、任意の形状又は構造によって照明装置１００が電源に接続され得る当該形状又は構造が、本発明の範囲内である。更に図１には、固定するための手段１０６も示され、これにより、電球を閉じられた位置に維持するために、照明装置ハウジングの部分同士が互いに固定されている。
【００３１】
次に図２を参照すると、照明装置１００がより詳細に説明され、図２には、展開された本発明による照明装置１００の概略的な側面図が示される。照明装置１００は、第１のハウジング部２１２と第２のハウジング部２１４とを含む照明装置ハウジングを含み、これらハウジング部は、可撓性接続部２０２によって接続される。可撓性接続部２０２は、当該可撓性接続部２０２が作られる材料の利点により可撓性を有するか、又はオプションで、可撓性接続部２０２で折り返すことを更に可能にする穿孔（示されていない）を含んでもよい。照明装置ハウジングは、好ましくは熱成形可能な、光透過性プラスチック材料に成形される。この目的のために用いられることができ、ロール供給での大量熱成形生産機械に対して適切な材料の例は、典型的には２ｍｍ以下の厚さを有するＰＣ、ＰＥＴＧ、ＰＥＴＡ及び／又はＰＶＣである。図２では、この場合には搭載された発光ダイオード（ＬＥＤ）２１０を有するプリント回路基板（ＰＣＢ）２０８である、第１のハウジング部２１２に設置された光源が示され、ＬＥＤ２１０は、使用の際、当該ＬＥＤ２１０が照明装置のバルブ部１０２の内部で光を放射するように設置される。更に、第１のハウジング部２１２内にドライバ電子機器２０６も配置される。ＬＥＤ２１０を有するＰＣＢ２０８、及びドライバ電子機器２０６は、全く同様に第２のハウジング部２１４内に設置されてもよいことに留意されたい。第１のハウジング部２１２及び／又は第２のハウジング部２１４は、組立ての間にドライバ電子機器２０６及びＰＣＢ２０８を保持するための組立て支援部２０４も含み、照明装置１００の組立ての間に、接着剤又は他のタイプの固定具によってこれら構成要素を操作又は固定する必要性を低減させるか、又はその必要をなくす。図２では、組立て支援部２０４は壁として具現化されているが、ＰＣＢ２０８及びドライバ電子機器２０６に対する相補形状とされる組立て支援部２０４を含む、任意のタイプの幾何学的表現が可能であり、本発明の範囲内である。
【００３２】
図３は、展開された本発明の実施形態による照明装置１００の概略的な側面図である。図２と比較すると、第１の部分２１２と第２の部分２１４とを固定するための手段３００も示され、固定するための手段３００は、超音波溶着、熱溶着、スナップ嵌合、又は変形嵌合のうちの少なくとも１つを含む。固定するための手段３００は、照明装置ハウジングが確実に閉じられることを保証し、更に、固定するための手段３００は、大量生産設備で使用可能であるべきことが望ましく、したがって、固定するための手段は、第２のハウジング部２１４が矢印Ａ１で示されるように折り返された後に付与される超音波溶着若しくは熱溶着を含むか、又は代替的に、十分な力で第１のハウジング部２１２の上に第２のハウジング部２１４を閉じる動作が、第１のハウジング部と第２のハウジング部とを共に確実に保持するスナップ嵌合が用いられてもよい。スナップ嵌合と類似して、変形嵌合は、力を用いて、固定するための手段が第１のハウジング部２１２を第２のハウジング部２１４に対して保持するように変形する。図３では、照明装置１００は、熱伝導フォイルによって具現化されるヒートスプレッダ３０２を更に含む。熱伝導フォイル３０２は、使用の際、熱伝導フォイル３０２の後に配置されるＰＣＢ２０８及びドライバ電子機器２０６からの熱を、照明装置ハウジングへと伝導する。照明装置ハウジングは光透過性材料を通じて、熱を周囲環境へと伝導する。熱伝導フォイル３０２は、矢印Ａ１で示されるように照明装置ハウジングが可撓性接続部２０２で折り返され、固定するための手段３００で固定された時に、当該熱伝導フォイル３０２の最終的な形状に達する。図３に示される実施形態では、ヒートスプレッダ３０２は、述べられたとおり熱伝導フォイル３０２である。しかしながら、ＰＣＢ２０８及びドライバ電子機器２０６の前に照明装置ハウジング内に設置される予め成形された熱伝導要素を用いることも可能である。代替的に、ヒートスプレッダ３０２は、ヒートスプレッダ３０２から照明装置ハウジングへの熱伝導を更に増大させるために付与される、グラファイトの熱伝導性のフィルム又はコーティングを含んでもよい。
【００３３】
次に図４を参照すると、照明装置ハウジングが取外し可能なハンガ部４０２を更に含む、本発明による照明装置の断面が示される。取外し可能なハンガ部４０２は、図４では細長い形状を有する孔４０４を含むが、孔４０４の形状は、照明装置１００が掛けられ、したがって例えば店で、照明装置１００自体の掛ける機能を提供することを可能にする任意の形状であってよい。取外し可能なハンガ部４０２は、折曲げ又は穿孔（示されていない）を介して取外し可能であり、したがって照明装置のユーザは、少量又は最小量の力で、取外し可能なハンガ部４０２を取り外し得る。図４に示される実施形態では、照明装置１００は、照明装置ハウジングを通過する光を散乱させる拡散要素を含む層４００を更に含む。ＬＥＤ２１０は点光源として見え、したがって、放射される光の空間分布をより均一にするために、照明装置ハウジングを通じて伝播して照明装置１００から放射される光を散乱させることが有益である。更に、層４００は例えば蛍光体又は量子ドットを含む材料といった、光を波長変換するルミネセンス材料を含んでもよい。ルミネセンス材料４００は、照明装置１００から放射される光のスペクトルを美的に心地良いものにするか、又は一般屋内照明のために適した、より暖かい白色外観等の波長での特定の分布を可能にするために、ＬＥＤ２１０から放射される光を波長変換する。
【００３４】
図５では、本発明の実施形態による照明装置を製造するためのフローチャートが示される。ステップ１において、光透過性プラスチック材料のシートが提供される。光透過性材料は、典型的には２ｍｍ以下の厚さを有するＰＣ、ＰＥＴＧ、ＰＥＴＡ及び／又はＰＶＣである。光透過性材料のシートは、代替として、材料を通じて伝播する光の拡散又は波長変換等の特定の効果を可能とするために、予め印刷されるか、同時押出しされるか、又はラミネートされてもよい。
【００３５】
次いでステップＳ２において、光透過性プラスチック材料のシートから、可撓性接続部２０２によって接続される第１のハウジング部２１２と第２のハウジング部２１４とを含む、照明装置ハウジングが成形される。様々な実施形態による照明装置ハウジングは、熱成形を用いて成形され、これにより、シートを照明装置ハウジングの形状へと成形するために、光透過性材料のシートが加熱されて金型が付与される。可撓性接続部２０２は、可撓性を高めるために穿孔を含んでもよい。
【００３６】
ステップＳ３において、光源２１０及びドライバ電子機器２０６を封入するために、第１のハウジング部２１２又は第２のハウジング部２１４が可撓性接続部２０２で折り返される。この前に、熱を光源２１０及び／又はドライバ電子機器２０６から照明装置ハウジングへと伝導するために、照明装置ハウジング内に前述のヒートスプレッダ３０２が配置されてもよい。
【００３７】
次いでステップＳ４において、照明装置ハウジングが折り返された位置を維持するように、固定するための手段３００によって、第１のハウジング部２１２が第２のハウジング部２１４に固定される。固定するための手段３００は、前述の代替のうちの任意のものであってよく、スナップ嵌合及び変形嵌合は、照明装置ハウジングを折り返された位置に「ロック」するために付与されるときの幾分かの量の力を必要とし、超音波溶着又は熱溶着は、斯様な溶着を付与するために、生産の間に道具を必要とする。
【００３８】
次に図６を参照すると、本発明の実施形態の概略的な表現が示される。図６に示される実施形態によると、１以上の光源６０４と、ドライバ電子装置６０２とが、両方とも基板６００上に配置される。１以上の光源６０４とドライバ電子装置６０２との両方を基板６００上に配置することによって、照明装置の組立ての間のステップの数が更に一層低減される。中にある印刷回路基板（ＰＣＢ）６００は、電球の断面の形状とされ、照明装置１００内に垂直に位置合わせされる。照明装置ハウジングの第１の部分と第２の部分とは、依然として可撓性接続部６１２で折り返される。更に、照明装置ハウジングの第１の部分内に配置されるＰＣＢ６００は、ＬＥＤ６０４とドライバ電子機器６０２との両方を含み、これにより照明装置の組立てに必要とされるステップの数を更に低減させる。ＬＥＤ６０４はＰＣＢ６００の片面に設置されるか、又は両面に設置されてもよい。したがってＰＣＢ６００は１ピースで提供されて折り返し可能であるか、又は一方の面のためのＬＥＤとドライバ電子機器とを含む第１のＰＣＢ（示されていない）と、第１のＰＣＢの裏面に搭載されたＬＥＤ６０４を含む第２のＰＣＢ（示されていない）とが提供されてもよく、これにより全方向で均一な光分布を提供する。更に、図６に示される実施形態では、バルブ部の領域６０８が、照明装置ハウジングから周囲環境への効率的な熱伝導のために用いられる。バルブ部の他の領域は、透明な光透過部６１０を含むが、上述の実施形態との関連で説明されたように光を拡散又は波長変換してもよい。
【００３９】
図７は、本発明による照明装置の別の実施形態の斜視図である。図７では、照明装置ハウジング７００は複数のハウジング部を含む。照明装置ハウジング７００はしたがって、「折り返しブリスタ」タイプのハウジングとして見ることができる。図７に示される実施形態では、照明装置ハウジング７００は４つのハウジング部を含むが、原則として、より少ない又はより多い数のハウジング部が可能である。４つのハウジング部７０２、７０６、７０８、７１０は各々、可撓性接続部７０４によって、隣接するハウジング部に接続される。図７の照明装置は光源７１２を更に含み、光源７１２は、各ハウジング部が当該ハウジング部の接続部で折り返された後に、照明装置ハウジング７００内にドライバ電子機器７１４と共に封入される。また、照明装置は、ドライバ電子機器を電源に接続するためのベース部７１６も含む。照明装置ハウジング７００の折り返された状態を維持するために、固定するための手段（示されていない）が、隣接するハウジング部７０２と７１０とを、照明装置ハウジング７００の折り返された状態に固定する。特定のタイプの固定するための手段、光を拡散及び／又は波長変換するための手段についての前述の特徴は、図７に示される照明装置にも有利に組み込まれ得ることに留意されたい。
【００４０】
更に、当業者によって、特許請求された発明を実施するにあたり、図面、明細書、及び添付の請求項の研究から、開示された実施形態のバリエーションが理解され達成され得る。例えば、革新的な照明装置は、図では電球として具現化されるが、原則として、本発明を形成するために、例えば管照明装置等の予期され得る任意の形式又は形状の照明装置が可能である。更に、図に示される照明装置ハウジングは垂直面に沿って折り返される。しかしながら、これは単に例示として解釈されるべきであり、照明装置ハウジングは、水平面又は原則として任意の方向に全く同様に折り返され得る。請求項で、「含む」の文言は他の要素又はステップを除外するものではなく、不定冠詞「ａ」又は「ａｎ」は複数を除外するものではない。特定の手段が、相互に異なる従属請求項に記載されているという単なる事実は、これらの手段の組合せを有利に使用できないことを意味するわけではない。
【図１】
2017503326.tif 000003
【図２】
2017503326.tif 000004
【図３】
2017503326.tif 000005
【図４】
2017503326.tif 000006
【図６】
2017503326.tif 000007
【図７】
2017503326.tif 000008
【図５】
2017503326.tif 000009
【国際調査報告】
2017503326.tif 000010
2017503326.tif 000011